(57)【要約】【課題】キャビネットの取付を簡単な構成で効率よく行う。【解決手段】天井２２の天井孔２４から天井裏に収容可能な大きさのファイヤドーム２０の天井２２への挿入状態において、ファイヤドーム２０の上壁２６の上面に接触している取付片３２の接触片３４が外方端が天井孔２４よりも内側に位置し、外方端から天井２２の裏面側に伸延している弾性片３６の先端部が天井孔２４よりも外側において天井２２に接触している。ファイヤドーム２０及び取付具３２の天井孔２４への挿入前に、ファイヤドーム２０及び取付具３２に挿通されたボルト４０とノブ４２とが、接触片３４を上壁２６に押圧固定している。【選択図】　　　　図１
2004120192.tif 000002
【特許請求の範囲】
【請求項１】
壁部に穿設された挿通孔から壁部裏側に収容可能な大きさで、内部にスピーカが収容されるキャビネットの前記挿通孔への挿入状態において、前記キャビネットの内奥部の上面に接触している接触部が有する複数の外方端が前記挿通孔よりも内側に位置し、前記各外方端から前記壁部の裏面側に伸延している前記キャビネット側に撓み可能な可撓部の先端部が前記挿通孔よりも外側において前記壁部裏面に接触している取付具と、
前記キャビネット及び取付具の前記挿通孔への挿入前に、前記キャビネット及び取付具に設けられ、前記キャビネットの内奥部に対して前記接触部を押圧固定している固定具とを、
具備するスピーカキャビネット取付装置。
【請求項２】
請求項１記載のスピーカキャビネット取付装置において、前記キャビネットは、前記壁部の表面において前記挿通孔の周囲に接触するフランジを有しているスピーカキャビネット取付装置。
【請求項３】
請求項１記載のスピーカキャビネット取付装置において、前記各可撓部の先端部には、前記壁部裏面に係合する爪を有するスピーカキャビネット取付装置。
【請求項４】
請求項１記載のスピーカキャビネット取付装置において、前記キャビネットは、前記内奥部から前記挿通孔付近まで伸びる胴部を有し、この胴部は、前記接触部の両外方端側に面を有し、前記可撓部及び前記接触部を通り前記接触部に対して垂直な仮想面内において前記面と前記挿通孔との距離が、前記可撓部の厚さ寸法よりも長く設定されているスピーカキャビネット取付装置。
【請求項５】
請求項１記載のスピーカキャビネット取付装置において、前記各可撓部の両側縁が、キャビネットと反対側に折り曲げられているスピーカキャビネット取付装置。
【発明の詳細な説明】
【０００１】
【発明の属する技術分野】
本発明は、スピーカを収容しているキャビネットを壁部に埋め込む際に使用するスピーカキャビネット取付装置に関する。
【０００２】
【従来の技術】
上記のようなスピーカキャビネットとしては、スピーカを壁部例えば天井に天井孔を介して埋め込んだ後に、天井孔から炎が天井裏に侵入することを防止するために不燃不融性の材料によって構成されたいわゆるファイヤドームと称するものがある。このファイヤドームの取付は、例えば図４に示すように行われることがあった。天井２に形成した天井孔４から、取付金具６を天井裏に挿入する。この取付金具６は、上部水平部６ａの両端から下方にそれぞれ脚部６ｂが垂直に伸延し、それら脚部６ｂの先端部に下部水平部６ｃを有する概略Ｕ字状のものである。下部水平部６ｃが天井裏面に接触するように、取付金具６を配置する。上部水平部６の中央には、下方に向けて締め付けねじ８が挿通されている。ファイヤドーム１０は、内奥に底壁１０ａを有する円筒状部１０ｂを有し、この円筒状部１０ｂの先端周縁にフランジ１０ｃが形成されている。フランジ１０ｃが天井孔４の周囲に接触するように、かつ底壁１０ａに形成されたねじ挿通孔１２にねじ８を挿通するように、ファイヤドーム１０を天井孔４から天井裏に挿入する。そして、雌ねじが切られているノブ１４をねじ８に螺合させて、フランジ１０ｃと下部水平脚部６ｃとによって、天井２を挟み込んで、ファイヤドーム１０を天井に取り付けている。
【０００３】
この他に、例えば特許文献１に開示されたような取付機構もある。この技術では、キャビネットの周面に間隔をおいて、キャビネットの長さ方向に沿って複数の溝を設け、これら溝の中にストッパーを配置し、ストッパーをバネを用いて溝内に保持しておいて、キャビネットを天井孔から天井裏に挿入し、その後にドライバー等によってストッパーを操作して、天井裏面にストッパーを接触させて、キャビネットを固定している。
【０００４】
【特許文献１】
実公平８−４７９１号公報
【０００５】
【発明が解決しようとする課題】
しかし、図示したような取付機構では、ファイヤドーム１０を天井孔４から挿入すると同時に、ねじ８をねじ挿通孔１２に挿入しなければならない。しかし、取付金具６は天井裏には固定されていないので、取付金具６が水平方向に移動しやすく、このファイヤドーム１０の天井孔４への挿通と、ねじ８のねじ挿通孔１２への挿通を同時に行うことは、非常に困難な作業である。さらに、ノブ１４をねじ８に螺合させる際も、取付金具６が天井裏に配置されているだけであるので、ノブ１４の締め付けと同時に取付金具６が回転し、締め込みが不十分になることがあった。
【０００６】
また、特許文献１の技術では、上記のような取付作業の困難性は無いが、部品点数が多く、製造工程が多くなり、コスト高になる。さらに、ドライバーによって複数のストッパーを操作しなければならず、固定作業が面倒であった。
【０００７】
本発明は、簡単な構成で、かつ容易に天井への取付が行えるキャビネットの取付装置を提供することを目的とする。
【０００８】
【課題を解決するための手段】
本発明によるキャビネットの取付装置は、壁部、例えば天井に穿設された挿通孔、例えば天井孔から壁部裏、例えば天井裏に収容可能な大きさのキャビネットに対して使用される。挿通孔は、円形孔、矩形孔等の種々の形状とすることができる。このキャビネットの内部にスピーカが収容される。このキャビネットは、例えばファイヤドームのように不燃・不融性の材料、例えば鉄によって構成することができる。キャビネットの挿通孔への挿入状態において、キャビネットの内奥部の上面に、取付具の接触部が接触している。この内奥部は、キャビネットがほぼ筒状の場合、それの一番奥にあって天井にほぼ平行な壁部となる。或いは、キャビネットがほぼ半球状の形状であるなら、その頂点部分が内奥部となる。取付具の接触部は複数の外方端を有している。接触部が１枚の片状のものであれば、その両端部が外方端部となる。これら片状のものを複数それらの中心が重なるように放射状に配置したものを接触部とすることもできる。この場合、各片の両端部がそれぞれ外方端部となる。接触部の各外方端は挿通孔よりも内側に位置している。各外方端から壁部の裏面側に可撓部が伸延している。この可撓部は、キャビネット側に撓み可能である。これら可撓部の先端部が挿通孔よりも外側において壁部裏面に接触している。接触部と可撓部とは一体に形成することも可能である。前記キャビネット及び取付具の前記挿通孔への挿入前に、前記キャビネット及び取付具に固定具が設けられている。この固定具は、キャビネットの内奥部に対して前記接触部を押圧固定可能である。
【０００９】
このように構成されたスピーカキャビネット取付装置では、キャビネットを取り付ける前に、キャビネットの内奥部側に取付具の接触部を位置させ、可撓部の先端部がキャビネットの正面側を向く状態で、両者を緩く固定具によって結合する。この状態において挿通孔に取付具とキャビネットとを挿入すると、取付具の可撓部が天井孔の縁に接触する。そのまま挿入していくと、可撓部がキャビネット側に撓む。その結果、キャビネットと取付具とは、挿通孔を抜けて、壁部裏側に挿入される。挿入完了後、可撓部が再び外側に開き、これらの先端部は挿通孔よりも外側に位置する。従って、取付具の可撓部の先端部が壁部裏面に接触可能となり、キャビネットを仮止めすることができる。この仮止め状態において、固定具を締め付けて、接触部をキャビネットの内奥部に押圧固定すると、可撓部の先端部も強固に壁部裏面に接触し、キャビネットを壁部に取り付けることができる。このキャビネット取付装置によれば、取付具とキャビネットとを固定具によって緩く結合した状態で壁部裏に挿入することができるし、その挿入も可撓部が撓むことによって行われるので、両者が円滑に挿入される。また、この取付装置は、キャビネットと取付具と固定具と言う３つの構成部品しかない非常に簡単な構成である。
【００１０】
キャビネットには、壁部の表面において挿通孔の周囲に接触するフランジを形成することもできる。この場合、固定具によって接触部をキャビネットに押圧固定したとき、キャビネットも壁部裏面側に向かう反力を受け、フランジが壁部表面に押圧される。その結果、キャビネットは、取付具の可撓部の先端部とフランジとによって挟み込まれた状態で取り付けられる。また、キャビネット及びフランジを不燃・不溶性材によって構成した場合には、挿通孔がフランジによって覆われる。従って、挿通孔とキャビネットとの間に隙間がある場合に、火災が発生しても、この隙間から火災が壁部裏に広がることを防止できる。
【００１１】
各可撓部の先端部には、前記壁部裏面に係合する爪を形成することもできる。この場合、固定具によって取付具の接触部をキャビネットの内奥部に押圧固定したとき、爪が壁部裏面に食いこむので、可撓部が外側に開くことが無く、更に取付具の回転を防止できる。
【００１２】
キャビネットは、それの内奥部から挿通孔付近まで伸びる胴部を有するものにすることができる。この胴部は、接触部の両外方端側に面を有している。可撓部及び接触部を通り接触部に対して垂直な仮想面内において、前記面と挿通孔との距離が、可撓部の厚さ寸法よりも長く設定されている。さらに、固定具を中心として前記可撓部が描く軌跡と交差するように、前記胴部の前記面を位置させてある。
【００１３】
このように構成した場合、可撓部を挿通孔に挿通させるとき、可撓部が胴部に接触してそれ以上可撓部の撓みが不能となることなく、胴部の前記面側に充分に撓むことができ、容易に挿通孔を通過することができる。
【００１４】
各可撓部の両側縁を、キャビネットと反対側に折り曲げることもできる。このように構成した場合、可撓部が挿通孔を通過する際に、挿通孔と接触するのは、可撓部の折り曲げられた両側縁だけであり、可撓部全面が挿通孔に接触することはない。従って、可撓部が挿通孔を通過する際に、可撓部と挿通孔との間に生じる摩擦が小さくなり、可撓部が円滑に挿通孔を通過する。
【００１５】
【発明の実施の形態】
本発明の１実施形態のキャビネット取付装置は、図３に示すように、キャビネット、例えばファイヤドーム２０を、壁部、例えば天井２２内に取り付けるものである。天井２２には、ファイヤドーム２０を天井２２の裏側に挿入するための挿通孔、例えば天井孔２４が形成されている。天井孔２４は、例えば円形に形成されている。
【００１６】
ファイヤドーム２０は、不燃・不融性材、例えば鉄製で、内部にスピーカ（図示せず）が収容されるものである。このファイヤドーム２０は、図３に示すように天井裏に挿入された状態で、最も奥に、内奥部、例えば上壁２６を有している。この上壁２６は、天井２２とほぼ平行に位置している。この上壁２６は、天井孔２４の直径よりも若干小さい直径の円板を、その両側から所定距離だけ切断した概略楕円型に形成されている。即ち、所定の距離（天井孔２２の直径よりも短い距離）を隔てて位置する２本の平行な辺２６ａと、同一の側にあるこれら辺の端部間を繋ぐ２つの円弧２６ｂとからなる。円弧２６ｂの頂部間の距離よりも、辺２６ａ、２６ａ間の距離の方が短い。即ち、辺２６ａ、２６ａは、円弧２６ｂ、２６ｂと比較して、天井孔２４の縁から内側に位置している。
【００１７】
この上壁２６の各辺２６ａ、円弧２６ｂから下方に向かって胴部２８が伸延している。胴部２８は、例えば上壁２６に対して垂直に伸延している。従って、辺２６ａ、２６ａに連なる胴部２８の面２８ａ、２８ａは、円弧２６ｂ、２６ｂに連なる胴部２８の面２８ｂ、２８ｂよりも、天井孔２４の縁から内側に位置している。ファイヤドーム２０を天井２２に取り付けた状態において、胴部２８の下端は、天井２２の表面側に位置している。この下端が概略楕円型の開口をなし、その周囲から円環状のフランジ３０が形成されている。このフランジ３０の外径は、天井孔２４の直径よりも大きく設定されている。
【００１８】
ファイヤドーム２０の上壁２６の上面側には、取付具３２が配置されている。取付具３２は、例えば薄い金属製であり、接触部、例えば接触片３４を有している。接触片３４は、上壁２６の２つの辺２６ａの近傍にそれぞれ外方端が位置する長方形状に形成されている。従って、接触片３４の両外方端間の距離は、天井孔２４の直径よりも短く、両外方端は、天井孔２４の縁部よりも内側に位置している。
【００１９】
これら接触片３４の両外方端から天井２２の裏面側に向けて可撓部、例えば弾性片３６が伸延している。これら弾性片３６は、天井２２の裏面に向かうに従って両者の間隔が広くなり、先端部は天井孔２４の縁よりも外側に位置している。また、上壁２６の中心を回転中心として接触片３４を回転させた場合、両外方端は、２つの片２６ａに接し、弾性片３６は胴部２８の面２８ａ、２８ａに接する。この構成は、後述するように、ボルト４０によって弾性片３４とファイヤドーム２０の上壁２６とを締め付ける際に必要となる。これら弾性片３６は薄い金属製であるので、弾性を有し、ファイヤドーム２０の胴部２８の面２８ａ側に向かって撓むことが可能である。これら弾性片３６の先端部には、鈎状の爪３８が形成されている。この取付状態において、爪３８とフランジ３０との間隔は、天井２２の厚さにほぼ等しく選択されている。また、接触片３４及び弾性片３６の長手縁部は、上面側にそれぞれ例えば約９０度折り曲げられ、折り曲げ部３９とされている。図２（ｄ）に示すように、接触片３４の上面に垂直で、弾性片３４、３４及び接触片３４を通る仮想面内において、面２８ａと天井孔２４の縁との距離Ｌは、弾性片３６の厚みｄ１と折り曲げ部３９の厚みｄ２とを加算した値よりも大きく設定されている。
【００２０】
この取付具３２の接触片３４の中心には、固定具の一部をなす、雄ねじ部材、例えばボルト４０が挿通され、それの頭部４０ａが接触部３４の上面側に固着されている。このボルト４０は、さらに上壁２６の中心を貫通して、胴部２８内に侵入している。胴部２８内において、ボルト４０には、固定具の一部をなす膨大部、例えばノブ４２が螺合している。
【００２１】
このように構成されたキャビネット取付装置は、ファイヤドーム２０の他に、取付具３２とボルト４０とノブ４２とからのみなる非常に簡単な構成であって、例えば図２（ａ）乃至（ｄ）に示すようにして、ファイヤドーム２０を天井に取り付ける。なお、図２（ａ）乃至（ｄ）は、ファイヤドーム２０の辺２６ａ、２６ａに垂直な方向での縦断面図である。
【００２２】
同図（ａ）に示すように、取付具３２の弾性片３６が下方に広がった状態になるように、接触片３４をファイヤドーム２０の上壁に接触させる。この状態では、ボルト４０は接触片３４側からファイヤドーム２０の胴部２８内に挿入されている。このボルト４０にノブ４２を螺合させて、取付具３２とファイヤドーム２０とを分離不能に緩く結合する。
【００２３】
この状態において、接触片３４側から天井孔２４内に、結合されたファイヤドーム２０と取付具３２とを挿入する。この際、上壁２６の内面側を手で押して、或いはノブ４２を手で持って挿入する。この挿入の際、図２（ｂ）に示すように、弾性片３６の先端の爪３８とファイヤドーム２０のフランジ３０との間には、天井２２の厚さよりも大きな間隔が空けられている。
【００２４】
そして、天井孔２４の周縁に弾性片３６が接触し、それの弾性によって、弾性片３６は胴部２８側に撓む。もし、面２８ａ、２８ａを設けずに、胴部２８を天井孔２４の直径よりも僅かに小さい直径の円柱状に形成したキャビネットを天井孔２４に挿入したなら、弾性片３６、３６の厚みｄ１及び折り曲げ部３９の厚みｄ２の加算値が、円柱状の胴部と天井孔２４との隙間よりも小さく、弾性片３６が天井孔２４を通過することができない可能性がある。しかし、この胴部２８では、厚みｄ１及び折り曲げ部３９の厚みｄ２の加算値より、面２８ａと天井孔２４の縁との距離Ｌが大きいので、弾性片３６、３６は、面２８ａ、２８ａ側に充分に撓むことができ、容易に天井孔２４を通過する。
【００２５】
しかも、この通過の際、折り曲げ部３９のみが、天井孔２４の周縁と接触する。従って、弾性片３６の天井孔２４への接触面積が小さくなり、摩擦力が小さいので、円滑に取付具３２及びファイヤドーム２０は天井孔２４を通過する。
【００２６】
同図（ｃ）に示すように、完全に天井孔２４を取付具３２が通過すると、弾性片３６の弾性によって弾性片３６が胴部２８の外側に広がる。その結果、ファイヤドーム２０の上壁２６の内面側に手によって加えていた力を除いても、弾性片３６の先端部が天井２２の裏面に接触し、ファイヤドーム２０が落下することなく、仮止めされる。このように、取付具３２とファイヤドーム２０とを緩く結合した状態で、ファイヤドーム２０の仮止めまでの作業を行えるので、これら作業が容易である。
【００２７】
この仮止め状態において、ノブ４２を回転させると、ボルト４０が接触片３４をファイヤドーム２０の上壁２６に押しつける。このとき、爪３８が天井２２の裏面に食い込むので、ノブ４２を回転させていっても、弾性片３６、３６が外側にさらに開くことを防止する上に、取付具３２が空回りして回転するのを防止する。仮に、爪３８が天井２２の裏面に充分に食いこんでいなくて、ノブ４２を回転させることによって取付具３２がボルト４０を中心として回転しても、弾性片３６、３６の一方の長手縁が胴部２８の面２８ａ、２８ａに接触するので、それ以上に取付具３２が回転することが防止される。
【００２８】
なお、ノブ４２の締め付けによって、ファイヤドーム２０も上昇し、フランジ３０が天井２２の表面に接触する。この後に、ファイヤドーム２０内にスピーカ（図示せず）が収容される。フランジ３０を含むファイヤドーム２０が天井孔２４を完全に覆っているので、火災が発生しても、炎が天井孔２４から天井裏に入ることはない。
【００２９】
このようにしてファイヤドーム２０を取り付け、さらに、内部にスピーカを収容した後、メンテナンス等のために、ファイヤドーム２０を天井孔２４から取り外す場合、取付具３２の接触片３４とファイヤドーム２０の上壁２６との接触を解除する方向にノブ４２を回転させた場合、爪３６が天井２２の裏面に食い込んでおり、取付具３２は回転しないので、容易にファイヤドーム２０を天井孔２４から取り外すことができる。仮に、爪３８の天井２２への食い込みが浅く、取付具３２の弾性片３６、３６の一方の長手縁が胴部２８の面２８ａ、２８ａに接触している状態であっても、ファイヤドーム２０を天井孔２４から取り外すようにノブ４２を回転させると、取付具３２の弾性片３６、３６は、最悪でも、弾性片３６、３６の他方の長手縁が胴部２８の面２８ａ、２８ａに接触するまで回転した後は、それ以上回転しないので、容易にファイヤドーム２０を天井孔２４から取り外すことができる。
【００３０】
上記の実施の形態では、ファイヤドーム２０を天井孔２４を介して天井内に取り付けたが、ファイヤドーム２０に限ったものではなく、内部にスピーカが収容されるキャビネットなら、他のものでも上記の実施の形態と同様にして取り付けることができるし、天井に限ったものではなく、適当な壁に設けた挿通孔に取り付ける場合にも、この取付装置を使用することができる。上記の実施の形態では、天井孔２４を円形としたが、これに限ったものではなく、多角形状の天井孔２４を形成することもできる。
【００３１】
また、上記の実施の形態では、ファイヤドーム２０は、概略小判型のものを使用したが、これに限ったものではなく、半球状のものや、多角柱状のものを使用することもできる。また、ファイヤドーム２０の胴部２８の面２８ａ、２８ａを上壁２６に対して垂直に形成したが、これに限ったものではなく、面２８ａ、２８ａを天井孔２４の縁側に向かって斜め下方に、或いは胴部２８の内側に向かって斜め下方に傾斜させてもよい。また、上記の実施の形態では、取付具３２の接触片３４は、上壁２６の辺２６ａ間の長さとほぼ等しい長さを持つものとしたが、これに限ったものではなく、天井孔２４の直径以下の長さであって、辺２６ａ間の長さよりも長いものとすることもできる。この場合でも、面２８ａと天井孔２４の縁との距離Ｌを、弾性片３６の厚みｄ１と折り曲げ部３９の厚みｄ２とを加算した値よりも大きく設定し、かつ上壁２６の中心を回転中心として接触片３４を回転させた場合、弾性片３６が胴部２８の面２８ａ、２８ａに接するように面２８ａ、２８ａの位置を設定する。
【００３２】
また、上記の実施の形態では、取付具３２の接触部は、細長い片状のものを示したが、これに限ったものではなく、例えば上壁２６とほぼ等しい面積を持つ板状とすることもできる。また、可撓部として２つの弾性片３６を設けたが、これに限ったものではなく、例えば適当な角度ごとに３つ以上の弾性片を設けることもできる。
【００３３】
上記の実施の形態では、ボルト４０の頭部４０ａを接触片３４に固着したが、ボルト４０を使用せずに、接触片３４のファイヤドーム２０側の面に、雄ねじを直接に溶接することもできるし、接触片３４に雌ねじを設けることも可能であるし、或いは接触片３４にナットを溶接し、ファイヤドーム２０の内部からノブを備えた雄ねじをねじ込むことも可能である。また、ボルト４０や雄ねじ以外にも、種々の押圧固定手段を使用することができる。例えば接触片３４の下面に一端を取り付けたバネをファイヤドーム２０の上壁２６からファイヤドーム２０内に導入しておき、そのバネの他端をファイヤドーム２０の内面に固定することによって、接触片３４をファイヤドーム２０の上壁２６に押圧固定するように構成することもできる。このような押圧固定手段を使用する場合には、接触片２６の回り止め等に考慮する必要がないので、胴部２８には面２８ａ、２８ａを形成する必要はない。
【００３４】
【発明の効果】
以上のように、本発明によれば、簡単な作業によって容易にキャビネットを天井に取り付けることができ、効率的に取付作業を行うことができるし、また、その構成も非常に簡単なものであるので、その製造が容易に行える。さらに、キャビネットの挿通孔からの取り外しも容易に行える。
【図面の簡単な説明】
【図１】本発明の１実施形態のキャビネット取付装置によるキャビネットの取付前の状態を示す斜視図である。
【図２】図１のキャビネット取付装置による取付工程を示す図である。
【図３】図１のキャビネット取付装置による取付後の状態を示す斜視図である。
【図４】従来のキャビネット取付装置による取付の中途の状態を示す縦断面図である。
【符号の説明】
２０　ファイヤドーム（キャビネット）
２２　天井（壁部）
２４　天井孔（挿通孔）
２６　上壁
３０　フランジ
３２　取付具
３４　接触片（接触部）
３６　弾性片（可撓部）
４０　ボルト（雄ねじ部材）
４２　ノブ（膨大部）
【図１】
2004120192.tif 000003
【図２】
2004120192.tif 000004
【図３】
2004120192.tif 000005
【図４】
2004120192.tif 000006